(57)【要約】【課題】導通特性劣化を検知する。【解決手段】ＯＬＴ１は、指定された送信フレーム数１０１５の試験フレーム１０２を生成し、ＯＮＵ４に送信する試験フレーム送信部１５と、ＯＮＵ４からの試験フレーム１０３を受信し、当該受信した試験フレーム数と送信フレーム数１０１５から導通特性劣化を検知する試験フレーム受信部１６とを備え、ＯＮＵ４は、ＯＬＴ１からの試験フレーム１０２を受信し、当該受信した試験フレーム数と送信フレーム数１０１５から導通特性劣化を検知する試験フレーム受信部４３と、送信フレーム数１０１５の試験フレーム１０３を生成し、ＯＬＴ１に送信する試験フレーム送信部４４とを備えた。【選択図】図１
2015139184.tif 000002
【特許請求の範囲】
【請求項１】
ＯＬＴと、当該ＯＬＴに接続された複数のＯＮＵとを備えたＰＯＮシステムにおいて、
前記ＯＬＴは、
指定された送信フレーム数の試験フレームを生成し、前記ＯＮＵに送信する第１の試験フレーム送信部と、
前記ＯＮＵからの試験フレームを受信し、当該受信した試験フレーム数と前記送信フレーム数から導通特性劣化を検知する第１の試験フレーム受信部とを備え、
前記ＯＮＵは、
前記ＯＬＴからの試験フレームを受信し、当該受信した試験フレーム数と前記送信フレーム数から導通特性劣化を検知する第２の試験フレーム受信部と、
前記送信フレーム数の試験フレームを生成し、前記ＯＬＴに送信する第２の試験フレーム送信部とを備えた
ことを特徴とするＰＯＮシステム。
【請求項２】
試験開始指示を前記ＯＬＴに送信する監視制御端末を備え、
前記ＯＬＴは、前記監視制御端末からの試験開始指示を前記ＯＮＵに転送し、
前記第１，２の試験フレーム送信部および前記第１，２の試験フレーム受信部は、前記試験開始指示に応じて動作する
ことを特徴とする請求項１記載のＰＯＮシステム。
【請求項３】
前記試験開始指示には、導通特性劣化の試験対象の前記ＯＮＵである試験対象ＯＮＵ、当該試験対象ＯＮＵの転送先のＬＬＩＤである転送先ＬＬＩＤ、前記試験フレームの送信レート、前記送信フレーム数および送信フレームサイズを示す情報が含まれる
ことを特徴とする請求項２記載のＰＯＮシステム。
【請求項４】
前記第１，２の試験フレーム受信部は、前記転送先ＬＬＩＤに対して設定された帯域情報、および前記試験開始指示に含まれる情報に基づいて、導通特性劣化を検知する
ことを特徴とする請求項３記載のＰＯＮシステム。
【請求項５】
前記第１，２の試験フレーム受信部は、導通特性が劣化していると判断した場合に前記監視制御端末に対して劣化発生を示す警報を通知し、当該劣化発生の後、導通特性が劣化していないと判断した場合には当該監視制御端末に対して劣化回復を示す警報を通知する
ことを特徴とする請求項２項記載のＰＯＮシステム。
【請求項６】
前記第１の試験フレーム送信部は、前記試験開始指示に含まれる前記試験対象ＯＮＵ内の前記ＬＬＩＤにおいて、通信が行われていない場合に動作を開始し、
前記第２の試験フレーム送信部は、前記試験開始指示に含まれる前記ＬＬＩＤにおいて、通信が行われていない場合に動作を開始する
ことを特徴とする請求項３記載のＰＯＮシステム。
【請求項７】
ＯＬＴと、当該ＯＬＴに接続された複数のＯＮＵとを備えたＰＯＮシステムにおいて、
前記ＯＬＴは、
指定された送信フレーム数の試験フレームを生成し、前記ＯＮＵに送信する第１の試験フレーム送信部と、
前記ＯＮＵからの試験フレームを受信し、当該受信した試験フレーム数と前記送信フレーム数から導通特性劣化を検知する第１の試験フレーム受信部とを備え、
前記ＯＮＵは、
前記ＯＬＴからの試験フレームを受信し、当該受信した試験フレーム数と前記送信フレーム数から導通特性劣化を検知する第２の試験フレーム受信部と、
前記ＯＬＴからの試験フレームを折り返して前記ＯＬＴに送信する試験フレーム折り返し部とを備えた
ことを特徴とするＰＯＮシステム。
【請求項８】
試験開始指示を前記ＯＬＴに送信する監視制御端末を備え、
前記ＯＬＴは、前記監視制御端末からの試験開始指示を前記ＯＮＵに転送し、
前記第１の試験フレーム送信部、前記第１，２の試験フレーム受信部および前記試験フレーム折り返し部は、前記試験開始指示に応じて動作する
ことを特徴とする請求項７記載のＰＯＮシステム。
【請求項９】
前記試験開始指示には、導通特性劣化の試験対象の前記ＯＮＵである試験対象ＯＮＵ、当該試験対象ＯＮＵの転送先のＬＬＩＤである転送先ＬＬＩＤ、前記試験フレームの送信レート、前記送信フレーム数および送信フレームサイズを示す情報が含まれる
ことを特徴とする請求項８記載のＰＯＮシステム。
【請求項１０】
前記第１，２の試験フレーム受信部は、前記転送先ＬＬＩＤに対して設定された帯域情報、および前記試験開始指示に含まれる情報に基づいて、導通特性劣化を検知する
ことを特徴とする請求項９記載のＰＯＮシステム。
【請求項１１】
前記第１，２の試験フレーム受信部は、導通特性が劣化していると判断した場合に前記監視制御端末に対して劣化発生を示す警報を通知し、当該劣化発生の後、導通特性が劣化していないと判断した場合には当該監視制御端末に対して劣化回復を示す警報を通知する
ことを特徴とする請求項８記載のＰＯＮシステム。
【請求項１２】
前記第１の試験フレーム送信部は、前記試験開始指示に含まれる前記試験対象ＯＮＵ内の前記ＬＬＩＤにおいて、通信が行われていない場合に動作を開始する
ことを特徴とする請求項９記載のＰＯＮシステム。
【請求項１３】
複数のＯＮＵが接続されたＯＬＴにおいて、
指定された送信フレーム数の試験フレームを生成し、前記ＯＮＵに送信する第１の試験フレーム送信部と、
前記ＯＮＵから前記送信フレーム数の試験フレームを受信し、当該受信した試験フレーム数と当該送信フレーム数から導通特性劣化を検知する第１の試験フレーム受信部とを備えた
ことを特徴とするＯＬＴ。
【請求項１４】
ＯＬＴに接続された複数のＯＮＵにおいて、
前記ＯＬＴから指定された送信フレーム数の試験フレームを受信し、当該受信した試験フレーム数と当該送信フレーム数から導通特性劣化を検知する第２の試験フレーム受信部と、
前記送信フレーム数の試験フレームを生成し、前記ＯＬＴに送信する第２の試験フレーム送信部とを備えた
ことを特徴とするＯＮＵ。
【請求項１５】
ＯＬＴに接続された複数のＯＮＵにおいて、
前記ＯＬＴから指定された送信フレーム数の試験フレームを受信し、当該受信した試験フレーム数と当該送信フレーム数から導通特性劣化を検知する第２の試験フレーム受信部と、
前記ＯＬＴからの試験フレームを折り返して前記ＯＬＴに送信する試験フレーム折り返し部とを備えた
ことを特徴とするＯＮＵ。
【請求項１６】
ＯＬＴと、当該ＯＬＴに接続された複数のＯＮＵとを備えたＰＯＮシステムによる導通特性劣化検知方法において、
前記ＯＬＴは、
指定された送信フレーム数の試験フレームを生成し、前記ＯＮＵに送信する第１の試験フレーム送信ステップと、
前記ＯＮＵからの試験フレームを受信し、当該受信した試験フレーム数と前記送信フレーム数から導通特性劣化を検知する第１の試験フレーム受信ステップとを有し、
前記ＯＮＵは、
前記ＯＬＴからの試験フレームを受信し、当該受信した試験フレーム数と前記送信フレーム数から導通特性劣化を検知する第２の試験フレーム受信ステップと、
前記送信フレーム数の試験フレームを生成し、前記ＯＬＴに送信する第２の試験フレーム送信ステップとを有する
ことを特徴とする導通特性劣化検知方法。
【請求項１７】
ＯＬＴと、当該ＯＬＴに接続された複数のＯＮＵとを備えたＰＯＮシステムによる導通特性劣化検知方法において、
前記ＯＬＴは、
指定された送信フレーム数の試験フレームを生成し、前記ＯＮＵに送信する第１の試験フレーム送信ステップと、
前記ＯＮＵからの試験フレームを受信し、当該受信した試験フレーム数と前記送信フレーム数から導通特性劣化を検知する第１の試験フレーム受信ステップとを有し、
前記ＯＮＵは、
前記ＯＬＴからの試験フレームを受信し、当該受信した試験フレーム数と前記送信フレーム数から導通特性劣化を検知する第２の試験フレーム受信ステップと、
前記ＯＬＴからの試験フレームを折り返して前記ＯＬＴに送信する試験フレーム折り返しステップとを有する
ことを特徴とする導通特性劣化検知方法。
【発明の詳細な説明】
【技術分野】
【０００１】
この発明は、１つの局側装置（以下、ＯＬＴ：Ｏｐｔｉｃａｌ  Ｌｉｎｅ  Ｔｅｒｍｉｎａｌ）に、複数の加入者側装置（以下、ＯＮＵ：Ｏｐｔｉｃａｌ  Ｎｅｔｗｏｒｋ  Ｕｎｉｔ）を接続し構成される光通信ネットワークであるＰＯＮ（Ｐａｓｓｉｖｅ  Ｏｐｔｉｃａｌ  Ｎｅｔｗｏｒｋ）システムに関するものであり、特にＯＬＴとＯＮＵとの間において、通信の導通特性（スループット）劣化状態を自律的に検知するＰＯＮシステム、ＯＬＴ、ＯＮＵおよび導通特性劣化検知方法に関するものである。
【背景技術】
【０００２】
ＰＯＮシステムは、１つのＯＬＴと複数のＯＮＵが光スプリッタなどのパッシブな光分岐器で接続された、ポイント・ツー・マルチポイントのネットワーク構成である。ＯＬＴからＯＮＵへの下り信号は、１本の幹線光ファイバを介して光分岐器まで送信され、当該光分岐器で分岐された後、支線光ファイバを介して全てのＯＮＵに送信される。また、ＯＮＵからＯＬＴへの上り信号は、各ＯＮＵから各支線光ファイバを介して光分岐器へ送信され、当該光分岐器から１本の幹線光ファイバを介してＯＬＴへ送信される。ＰＯＮシステムの制御は、ＩＥＥＥ８０２．３にて標準化されている。
【０００３】
ＯＮＵからＯＬＴへの上り信号に関して、複数のＯＮＵが一斉に信号を送信すると、各ＯＮＵから送信された信号同士の衝突が発生し、ＯＬＴ側で正しく信号を受信することができなくなる。このような信号の干渉を防止するため、各ＯＮＵからＯＬＴへ送信される上り信号は、限られた帯域の中で時分割送信する必要がある。そこで、予め各ＯＮＵを識別するための固有番号であるＬＬＩＤ（Ｌｏｇｉｃａｌ  Ｌｉｎｋ  ＩＤｅｎｔｉｆｉｅｒ）という識別子を各ＯＮＵに付与し、当該ＬＬＩＤを用いて各ＯＮＵに対し信号の送信タイミングを通知するようにしている。ＯＬＴが、各ＯＮＵの送信タイミングが重複しないように調整することで、信号の干渉を防いでいる。また、ＯＬＴから各ＯＮＵへ送信される下り信号の場合は、１本の幹線光ファイバから光分岐器で分岐されて全てのＯＮＵに送信される。そのため、各ＯＮＵでは、送信されるフレームのプリアンブルに収容されたＬＬＩＤを参照し、当該ＬＬＩＤが自己のＬＬＩＤと一致すればフレームを取り込み、一致しない場合はフレームを廃棄する処理を行う。
【０００４】
ＰＯＮシステムでは、音声、データ、映像といった異なるアプリケーションの通信フレームを同一伝送路で伝送する。一般にアプリケーションに対する通信要件はそれぞれ異なっている。例えば音声通信に対しては、フレーム廃棄やフレーム転送遅延に対して厳しい要件となるが、データ通信に対しては、その要件は音声通信ほど厳しくない。このように異なる通信要件を持つアプリケーションごとにきめ細かな制御を行うため、ＰＯＮシステムではＬＬＩＤごとにアプリケーションをマッピングし、ＬＬＩＤごとに帯域制御を行うことが可能である。例えば厳しい通信要件が求められる音声通信を転送するＬＬＩＤに対しては、最低保証帯域を割り当て、音声サービス実施の際には、必要な帯域を確保し、フレーム廃棄を防ぐ。一方、データ通信を転送するＬＬＩＤに対しては、最低保証帯域を割り当てず、帯域が保証されない最大帯域のみを設定し、他のアプリケーションが消費する帯域を除く余剰帯域を使ってフレーム転送する。
【０００５】
上記のように、アプリケーションごとに異なるＬＬＩＤを割り当てる場合、１つのＯＮＵに複数のＬＬＩＤを割り当てることとなり、ＯＮＵの接続台数に伴い、多数のＬＬＩＤが必要となる。ＰＯＮシステムによっては、１つのＯＮＵには１つのＬＬＩＤしか設定できないものもあるが、この場合には、音声サービスに必要となる帯域を最低保証帯域とするとともに、最大帯域を設定し、その他のサービスは非保証帯域（最大帯域−最低保証帯域）を使って転送する。
【０００６】
上記のように、ＰＯＮシステムにおける帯域制御では、ＯＬＴが、ＬＬＩＤごとに設定された最低保証帯域と最大帯域に基づいて実施する。上り方向では、ＯＮＵに接続されたユーザ端末（例えばＰＣやＩＰ電話）からのフレームをＯＮＵで受信すると、ＯＮＵはＯＬＴにフレームが到着したことを通知し、ＯＬＴは、当該ＯＮＵに設定されたＬＬＩＤの最低保証帯域と最大帯域に基づいて、当該ＯＮＵに帯域を割り当てる。そして、ＯＮＵは割り当てられた帯域を用いてフレームを送信する。下り方向では、ＯＬＴの上位装置（例えばレイヤ２／３スイッチ）からのフレームをＯＬＴで受信すると、当該フレームの宛先ＯＮＵ（宛先ＬＬＩＤ）を特定し、当該ＬＬＩＤの最低保証帯域と最大帯域に基づいて、フレームを送信する。
【０００７】
上り方向、下り方向とも、フレームが最低保証帯域を超えて発生した場合には、ＯＬＴは、各ＯＮＵにおける通信状態を鑑みて、最大帯域を上限として帯域を割り当てる。すなわち、通信が輻輳し、他のＯＮＵによって消費される帯域が多い場合（帯域に余裕がない場合）には最低保証帯域分のみを割り当てる。一方、通信が輻輳しておらず、他のＯＮＵによって消費される帯域が少ない場合（帯域に余裕がある場合）には、最低保証帯域以上の帯域を割り当てる。このように、ＯＬＴは、可能な限りＯＬＴ−ＯＮＵ間の帯域を有効利用する設計となっている。
【０００８】
このように、ＰＯＮシステムにおける導通性能は、ＯＬＴにおける帯域割当制御に依存するところが大きい。何らかの要因で帯域割当制御に障害が発生し、本来割り当てられるべき帯域が割り当てられなくなった場合、正常にサービスを提供できなくなることが考えられる。このため、ＰＯＮシステムでは、帯域割当制御が正常動作し、サービス実施の際に必要な導通性能を提供できるかどうかを監視することが重要となる。従来のＰＯＮシステムでは、送受信フレーム数やエラーフレーム数など、導通性能に関する統計情報収集が具備されている。統計情報を用いた制御方式として、例えば受信エラーフレーム数をカウントし、カウントされた受信エラーフレーム数に応じて、誤り訂正符号（ＦＥＣ：Ｆｏｒｗａｒｄ  Ｅｒｒｏｒ  Ｃｏｒｒｅｃｔｉｏｎ）を有効化する方式（例えば特許文献１参照）がある。また、ＯＬＴとＯＮＵ間の導通確認を目的とした、ＯＮＵ  Ｌｏｏｐｂａｃｋ機能がある（例えば非特許文献１参照）。本機能は、ＯＬＴからＯＮＵに試験フレームを１フレームずつ送信し、ＯＮＵで試験フレームを折り返し、ＯＬＴに試験フレームが戻ってくることで導通可否の確認を行うものである。
【先行技術文献】
【特許文献】
【０００９】
【特許文献１】特開２０１０−２８６２９号公報
【非特許文献】
【００１０】
【非特許文献１】ＩＥＥＥ８０２．３−２００８
【発明の概要】
【発明が解決しようとする課題】
【００１１】
特許文献１に開示される従来のＰＯＮシステムは、ＯＬＴとＯＮＵで受信エラーフレーム数をカウントし、カウントされた受信エラーフレーム数に応じて、ＦＥＣを有効化する方式である。そのため、導通特性劣化を検知することはできないという課題がある。
また、非特許文献１に開示される従来のＰＯＮシステムでは、ＯＬＴとＯＮＵの間の導通可否は確認できるが、試験フレームを１フレームずつ送信する方式であり送信レートが極めて低いため、導通特性劣化を検知することはできないという課題があった。
【００１２】
この発明は、上記のような課題を解決するためになされたもので、導通特性劣化を検知することを可能とするＰＯＮシステム、ＯＬＴ、ＯＮＵおよび導通特性劣化検知方法を得ることを目的としている。
【課題を解決するための手段】
【００１３】
この発明に係るＰＯＮシステムは、ＯＬＴと、当該ＯＬＴに接続された複数のＯＮＵとを備えたＰＯＮシステムにおいて、ＯＬＴは、指定された送信フレーム数の試験フレームを生成し、ＯＮＵに送信する第１の試験フレーム送信部と、ＯＮＵからの試験フレームを受信し、当該受信した試験フレーム数と送信フレーム数から導通特性劣化を検知する第１の試験フレーム受信部とを備え、ＯＮＵは、ＯＬＴからの試験フレームを受信し、当該受信した試験フレーム数と送信フレーム数から導通特性劣化を検知する第２の試験フレーム受信部と、送信フレーム数の試験フレームを生成し、ＯＬＴに送信する第２の試験フレーム送信部とを備えたものである。
【００１４】
また、この発明に係るＰＯＮシステムは、ＯＬＴと、当該ＯＬＴに接続された複数のＯＮＵとを備えたＰＯＮシステムにおいて、ＯＬＴは、指定された送信フレーム数の試験フレームを生成し、ＯＮＵに送信する第１の試験フレーム送信部と、ＯＮＵからの試験フレームを受信し、当該受信した試験フレーム数と送信フレーム数から導通特性劣化を検知する第１の試験フレーム受信部とを備え、ＯＮＵは、ＯＬＴからの試験フレームを受信し、当該受信した試験フレーム数と送信フレーム数から導通特性劣化を検知する第２の試験フレーム受信部と、ＯＬＴからの試験フレームを折り返してＯＬＴに送信する試験フレーム折り返し部とを備えたものである。
【００１５】
また、この発明に係る導通特性劣化検知方法は、ＯＬＴと、当該ＯＬＴに接続された複数のＯＮＵとを備えたＰＯＮシステムによる導通特性劣化検知方法において、ＯＬＴは、指定された送信フレーム数の試験フレームを生成し、ＯＮＵに送信する第１の試験フレーム送信ステップと、ＯＮＵからの試験フレームを受信し、当該受信した試験フレーム数と送信フレーム数から導通特性劣化を検知する第１の試験フレーム受信ステップとを有し、ＯＮＵは、ＯＬＴからの試験フレームを受信し、当該受信した試験フレーム数と送信フレーム数から導通特性劣化を検知する第２の試験フレーム受信ステップと、送信フレーム数の試験フレームを生成し、ＯＬＴに送信する第２の試験フレーム送信ステップとを有するものである。
【００１６】
また、この発明に係る導通特性劣化検知方法は、ＯＬＴと、当該ＯＬＴに接続された複数のＯＮＵとを備えたＰＯＮシステムによる導通特性劣化検知方法において、ＯＬＴは、指定された送信フレーム数の試験フレームを生成し、ＯＮＵに送信する第１の試験フレーム送信ステップと、ＯＮＵからの試験フレームを受信し、当該受信した試験フレーム数と送信フレーム数から導通特性劣化を検知する第１の試験フレーム受信ステップとを有し、ＯＮＵは、ＯＬＴからの試験フレームを受信し、当該受信した試験フレーム数と送信フレーム数から導通特性劣化を検知する第２の試験フレーム受信ステップと、ＯＬＴからの試験フレームを折り返してＯＬＴに送信する試験フレーム折り返しステップとを有するものである。
【発明の効果】
【００１７】
この発明によれば、上記のように構成したので、導通特性劣化を検知することが可能となる。
【図面の簡単な説明】
【００１８】
【図１】この発明の実施の形態１に係るＰＯＮシステムの構成を示す図である。
【図２】この発明の実施の形態１に係るＰＯＮシステムにおける処理の流れを示すタイムチャートである。
【図３】この発明の実施の形態１に係るＰＯＮシステムによる試験開始指示の内容を示す図である。
【図４】この発明の実施の形態２に係るＰＯＮシステムの構成を示す図である。
【図５】この発明の実施の形態２に係るＰＯＮシステムにおける処理の流れを示すタイムチャートである。
【図６】この発明の実施の形態３に係るＰＯＮシステムにおける処理の流れを示すタイムチャートである。
【図７】この発明の実施の形態４に係るＰＯＮシステムにおける処理の流れを示すタイムチャートである。
【発明を実施するための形態】
【００１９】
以下、この発明の実施の形態について図面を参照しながら詳細に説明する。
実施の形態１．
図１はこの発明の実施の形態１に係るＰＯＮシステムの構成を示す図である。
この実施の形態１に係るＰＯＮシステムは、局側の終端装置であるＯＬＴ１と、このＯＬＴ１に光ファイバ２および光分岐器３を介して接続された複数のＯＮＵ４と、ＯＬＴ１を監視する監視制御端末５とを含む構成となっている。
【００２０】
ＯＬＴ１は、光送受信部１１、ＰＯＮ制御部１２、主信号転送部１３、ＮＮＩ制御部１４、試験フレーム送信部（第１の試験フレーム送信部）１５、試験フレーム受信部（第１の試験フレーム受信部）１６および監視制御部１７を備えている。
【００２１】
光送受信部１１は、ＯＮＵ４からの上り信号を受信する光受信部１１１と、ＯＮＵ４への下り信号を送信する光送信部１１２と、上り信号と下り信号を合波するＷＤＭ部１１３とからなるものである。
【００２２】
ＰＯＮ制御部１２は、ＰＯＮインタフェースの制御を行うものである。このＰＯＮ制御部１２は、監視制御部１７から導通特性劣化検知の試験開始指示１０１を受信すると、当該試験開始指示１０１を光送受信部１１を介してＯＮＵ４に転送する。
【００２３】
主信号転送部１３は、ＰＯＮ側とＮＮＩ（Ｎｅｔｗｏｒｋ  Ｎｏｄｅ  Ｉｎｔｅｒｆａｃｅ）側との間で主信号を転送するものである。
ＮＮＩ制御部１４は、ＮＮＩインタフェースの制御を行うものである。
【００２４】
試験フレーム送信部１５は、監視制御部１７からの試験開始指示１０１に応じて、当該試験開始指示１０１で指定された後述する送信レート１０１４、送信フレーム数１０１５および送信フレームサイズ１０１６に従い導通特性劣化検知のための下り方向の試験フレーム１０２を生成し、主信号転送部１３、ＰＯＮ制御部１２および光送受信部１１を介してＯＮＵ４（試験フレーム受信部４３）へ送信するものである。
【００２５】
試験フレーム受信部１６は、ＯＮＵ４（試験フレーム送信部４４）からの試験フレーム１０３を受信するものである。また、試験フレーム受信部１６は、試験フレーム１０３を受信すると、当該受信した試験フレーム１０３の数と送信フレーム数１０１５、その他の情報（後述する転送先ＬＬＩＤ１０１２に設定された帯域情報（最低保証帯域、最大帯域）、送信レート１０１４など）に基づき任意の計算方法により導通特性劣化有無を判断する。そして、試験フレーム受信部１６は、その判断結果１０６と、劣化警報１０７を監視制御端末５へ通知する。この判断結果１０６には、劣化発生または劣化非発生を示す情報が含まれている。また、劣化警報１０７には、劣化発生となった場合での劣化発生警報、劣化発生後に劣化非発生となった場合での劣化回復警報が含まれている。
【００２６】
監視制御部１７は、監視制御端末５と通信を行うものである。監視制御部１７は、ＰＯＮ制御部１２、試験フレーム送信部１５、試験フレーム受信部１６とのインタフェースを持ち、監視制御端末５からの試験開始指示１０１の伝達や、試験フレーム受信部１６からの試験結果の監視制御端末５への通知を行う。
具体的には、監視制御部１７は、監視制御端末５から試験開始指示１０１を受信すると、当該試験開始指示１０１をＰＯＮ制御部１２、試験フレーム送信部１５および試験フレーム受信部１６へ転送する。また、監視制御部１７は、ＯＮＵ４（試験フレーム受信部４３）から試験フレーム１０２に対する判断結果１０４および劣化警報１０５を受信すると、それらを監視制御端末５へ通知する。また、監視制御部１７は、試験フレーム受信部１６から判断結果１０６および劣化警報１０７を受信すると、それらを監視制御端末５へ通知する。
なお各制御部１２，１４，１７は、ソフトウェアに基づくＣＰＵを用いたプログラム処理によって実行される。
【００２７】
ＯＮＵ４は、光送受信部４１、ＰＯＮ制御部４２、試験フレーム受信部４３、試験フレーム送信部４４、主信号転送部４５およびＵＮＩ制御部４６を備えている。なお図１では、最上段のＯＮＵ４についてのみ内部構成を示しているが、他のＯＮＵ４についても同様に構成されている。
【００２８】
光送受信部４１は、ＯＬＴ１からの上り信号を受信する光受信部４１１と、ＯＬＴ１への下り信号を送信する光送信部４１２と、および上り信号と下り信号を合波するＷＤＭ部４１３とからなるものである。
【００２９】
ＰＯＮ制御部４２は、ＰＯＮインタフェースの制御を行うものである。このＰＯＮ制御部４２は、ＯＬＴ１から試験開始指示１０１を受信すると、当該試験開始指示１０１を主信号転送部４５を介して試験フレーム送信部４４および試験フレーム受信部４３へ転送する。
【００３０】
試験フレーム受信部４３は、ＯＬＴ１（試験フレーム送信部１５）からの試験フレーム１０２を受信するものである。また、試験フレーム受信部４３は、試験フレーム１０２を受信すると、当該受信した試験フレーム１０２の数と送信フレーム数１０１５、その他の情報（転送先ＬＬＩＤ１０１２に設定された帯域情報（最低保証帯域、最大帯域）、送信レート１０１４など）に基づき任意の計算方法により導通特性劣化有無を判断する。そして、試験フレーム受信部４３は、判断結果１０４と、劣化警報１０５を主信号転送部４５、ＰＯＮ制御部４２および光送受信部４１を介してＯＬＴ１へ返送する。この判断結果１０４には、劣化発生または劣化非発生を示す情報が含まれている。また、劣化警報１０５には、劣化発生となった場合での劣化発生警報、劣化発生後に劣化非発生となった場合での劣化回復警報が含まれている。
【００３１】
試験フレーム送信部４４は、ＰＯＮ制御部４２からの試験開始指示１０１に応じて、当該試験開始指示１０１で指定された送信レート１０１４、送信フレーム数１０１５および送信フレームサイズ１０１６に従い導通特性劣化検知のための試験フレーム１０３を生成し、主信号転送部４５、ＰＯＮ制御部４２および光送受信部４１を介してＯＬＴ１（試験フレーム受信部１６）へ送信する。
【００３２】
主信号転送部４５は、ＰＯＮ側とＵＮＩ（Ｕｓｅｒ  Ｎｅｔｗｏｒｋ  Ｉｎｔｅｒｆａｃｅ）側との間で主信号を転送するものである。主信号転送部４５は、試験フレーム送信部４４、試験フレーム受信部４３とのインタフェースを持ち、ＯＬＴ１を介して転送される監視制御端末５からの指示の伝達や、試験フレーム受信部４３からの試験結果をＯＬＴ１への通知を行う。
【００３３】
ＵＮＩ制御部４６は、ＵＮＩインタフェースの制御を行うものである。
なお各制御部４２，４６は、ソフトウェアに基づくＣＰＵを用いたプログラム処理によって実行される。
【００３４】
次に、上記のように構成されたＰＯＮシステムの動作について、図２，３を参照しながら説明する。なお導通特性劣化検知は、上り方向のみ、下り方向のみ、両方向同時のいずれかで実施可能とするが、ここでは両方向同時の場合で説明する。
【００３５】
実施の形態１に係るＰＯＮシステムの動作では、図２に示すように、まず保守者が、監視制御端末５より試験開始指示１０１をＯＬＴ１に送信する（ステップＳＴ２０１）。図３は試験開始指示１０１の詳細を示す図である。図３に示すように、試験開始指示１０１は、導通特性劣化の試験対象のＯＮＵ４である試験対象ＯＮＵ（ＭＡＣアドレス）１０１１、当該試験対象ＯＮＵ１０１１の転送先のＬＬＩＤである転送先ＬＬＩＤ（ＬＬＩＤ番号またはＬＬＩＤ  ＭＡＣアドレス）１０１２、試験方向（上り方向、下り方向または両方向）１０１３、試験フレーム１０２，１０３の送信レート（ｂｐｓ）１０１４、送信フレーム数１０１５および送信フレームサイズ（ｂｙｔｅ）１０１６を示す情報から構成される。なおここでは、監視制御端末５により上記各情報を指定可能とした場合について示しているが、これに限るものではなく、ＯＬＴ１、ＯＮＵ４で事前に指定しておいてもよい。
【００３６】
次いで、ＯＬＴ１の監視制御部１７は、試験開始指示１０１を受信すると、当該試験開始指示１０１をＰＯＮ制御部１２、試験フレーム送信部１５および試験フレーム受信部１６へ転送する。さらに、ＰＯＮ制御部１２は、試験開始指示１０１をＯＮＵ４に転送する。
ＯＮＵ４のＰＯＮ制御部４２は、試験開始指示１０１を光送受信部１１を介して、試験フレーム受信部４３および試験フレーム送信部４４へ転送する（ステップＳＴ２０２）。
【００３７】
次いで、ＯＬＴ１の試験フレーム送信部１５は、試験開始指示１０１を受信すると、当該試験開始指示１０１で指定された送信レート１０１４、送信フレーム数１０１５および送信フレームサイズ１０１６に従って試験フレーム１０２を生成し、下り方向へ送信する（ステップＳＴ２０３、第１の試験フレーム送信ステップ）。下り方向の試験フレーム１０２は、最終的にＯＮＵ４の試験フレーム受信部４３へ転送される。
【００３８】
次いで、ＯＮＵ４の試験フレーム受信部４３は、試験フレーム１０２を受信すると、受信した試験フレーム数をカウントする。そして、当該受信した試験フレーム数と送信フレーム数１０１５、その他の情報（転送先ＬＬＩＤ１０１２に設定された帯域情報（最低保証帯域、最大帯域）、送信レート１０１４など）に基づき任意の計算方法により導通特性劣化有無を判断する（ステップＳＴ２０４、第２の試験フレーム受信ステップ）。例えば、送信レート１０１４が最低保証帯域より小さいにもかかわらず、受信した試験フレーム数が送信フレーム数１０１５より小さい場合には劣化発生と判断し、それ以外の場合は劣化非発生と判断する。なおここでは、当該受信した試験フレーム１０２の数と送信フレーム数１０１５、その他の情報を用いて導通特性劣化有無を判断する場合について示したが、当該受信した試験フレーム１０２の数と送信フレーム数１０１５から導通特性劣化有無を判断するようにしてもよい。
【００３９】
次いで、試験フレーム受信部４３は、判断結果１０４および劣化警報１０５をＯＬＴ１へ返送する（ステップＳＴ２０５）。この判断結果１０４および劣化警報１０５は、最終的にＯＬＴ１の監視制御部１７へ送信される。
次いで、ＯＬＴ１の監視制御部１７は、ＯＮＵ４から返送された判断結果１０４および劣化警報１０５を監視制御端末５へ通知する（ステップＳＴ２０６）。
【００４０】
また、ＯＮＵ４の試験フレーム送信部４４は、試験開始指示１０１を受信すると、当該試験開始指示１０１で指定された送信レート１０１４、送信フレーム数１０１５および送信フレームサイズ１０１６に従って試験フレーム１０３を生成し、上り方向へ送信する（ステップＳＴ２０７、第２の試験フレーム送信ステップ）。上り方向の試験フレーム１０３は、最終的にＯＬＴ１の試験フレーム受信部１６へ転送される。
【００４１】
次いで、ＯＬＴ１の試験フレーム受信部１６は、試験フレーム１０３を受信すると、受信した試験フレーム数をカウントする。そして、当該受信した試験フレーム数と送信フレーム数１０１５、その他の情報（転送先ＬＬＩＤ１０１２に設定された帯域情報（最低保証帯域、最大帯域）、送信レート１０１４など）に基づき任意の計算方法により導通特性劣化有無を判断する（ステップＳＴ２０８、第１の試験フレーム受信ステップ）。例えば、送信レート１０１４が最低保証帯域より小さいにもかかわらず、受信した試験フレーム数が送信フレーム数１０１５より小さい場合には劣化発生と判断し、それ以外の場合は劣化非発生と判断する。なおここでは、当該受信した試験フレーム１０３の数と送信フレーム数１０１５、その他の情報を用いて導通特性劣化有無を判断する場合について示したが、当該受信した試験フレーム１０３の数と送信フレーム数１０１５から導通特性劣化有無を判断するようにしてもよい。
【００４２】
次いで、試験フレーム受信部１６は、判断結果１０６および劣化警報１０７を監視制御部１７へ送信し、監視制御部１７は監視制御端末５へ通知する（ステップＳＴ２０９，２１０）。
【００４３】
なお、導通特性劣化検知の対象となるＯＮＵ４は、上り方向の試験実行中はＵＮＩポートを閉塞するとともに、試験完了の際にはＵＮＩポートを閉塞解除することで、試験フレーム１０３とユーザフレームとの競合を防いでもよい。また、ＯＬＴ１は、下り方向の試験実行中は、転送先ＬＬＩＤ１０１２宛の下りフレーム送信を停止するとともに、試験完了の際には送信を再開することで、試験フレーム１０２とユーザフレームとの競合を防いでもよい。
【００４４】
以上のように、この実施の形態１によれば、保守者からの試験開始指示１０１を契機として、ＯＬＴ１およびＯＮＵ４が送信フレーム数１０１５に従い試験フレーム１０２，１０３を発生・送信し、受信した試験フレーム数と当該送信フレーム数１０１５から導通特性劣化を検知するように構成したので、ユーザの操作を必要とするＯＮＵ４配下のユーザ端末からのフレーム印加や、オペレータの操作を必要としサービスへの影響の可能性があるＯＬＴ１の上位装置からのフレーム印加を実施することなく、導通特性劣化を検知できるという効果がある。
【００４５】
実施の形態２．
図４はこの発明の実施の形態２に係るＰＯＮシステムの構成を示す図である。図４に示す実施の形態２に係るＰＯＮシステムは、図１に示す実施の形態１に係るＰＯＮシステムのＯＬＴ１の試験フレーム送信部１５および試験フレーム受信部１６をＰＯＮ制御部１２内部に具備された試験フレーム送信部１２１および試験フレーム受信部１２２に変更し、ＯＮＵ４の試験フレーム受信部４３および試験フレーム送信部４４をＰＯＮ制御部４２内部に具備された試験フレーム受信部４２１および試験フレーム折り返し部４２２に変更したものである。その他の構成は同様であり、同一の符号を付して異なる部分についてのみ説明を行う。
【００４６】
試験フレーム送信部１２１は、監視制御部１７からの試験開始指示１０１に応じて、当該試験開始指示１０１で指定された送信レート１０１４、送信フレーム数１０１５および送信フレームサイズ１０１６に従い導通特性劣化検知のための下り方向の試験フレーム１０２を生成し、光送受信部１１を介してＯＮＵ４（試験フレーム受信部４２１）へ送信するものである。
【００４７】
試験フレーム受信部１２２は、ＯＮＵ４（試験フレーム折り返し部４２２）からの試験フレーム１０２ｂを受信するものである。また、試験フレーム受信部１２２は、試験フレーム１０２ｂを受信すると、当該受信した試験フレーム１０２ｂの数と送信フレーム数１０１５、その他の情報（転送先ＬＬＩＤ１０１２に設定された帯域情報（最低保証帯域、最大帯域）、送信レート１０１４など）に基づき任意の計算方法により導通特性劣化有無を判断する。そして、試験フレーム受信部１２２は、その判断結果１０６と、劣化警報１０７を監視制御端末５へ通知する。
【００４８】
試験フレーム受信部４２１は、ＯＬＴ１（試験フレーム送信部１２１）からの試験フレーム１０２を受信するものである。また、試験フレーム１０２を受信すると、当該受信した試験フレーム１０２の数と送信フレーム数１０１５、その他の情報（転送先ＬＬＩＤ１０１２に設定された帯域情報（最低保証帯域、最大帯域）、送信レート１０１４など）に基づき任意の計算方法により導通特性劣化有無を判断する。そして、試験フレーム受信部４２１は、判断結果１０４と、劣化警報１０５を光送受信部４１を介してＯＬＴ１へ返送する。
【００４９】
試験フレーム折り返し部４２２は、ＯＬＴ１（試験フレーム送信部１２１）からの試験フレーム１０２を受信し、その試験フレーム１０２をそのまま折り返して試験フレーム１０２ｂとして光送受信部４１を介してＯＬＴ１（試験フレーム受信部１２２）へ送信するものである。
【００５０】
次に、上記のように構成されたＰＯＮシステムの動作について、図５を参照しながら説明する。なお導通特性劣化検知は、上り方向の試験フレーム１０２をＯＮＵ４で折り返し、試験フレーム１０２ｂとして上り方向に送信するため、両方向同時となる。
【００５１】
実施の形態２に係るＰＯＮシステムの動作では、図５に示すように、まず保守者が、監視制御端末５より試験開始指示１０１をＯＬＴ１に送信する（ステップＳＴ５０１）。試験開始指示１０１の詳細は図３と同一である。なおここでは、監視制御端末５により図３に示す各情報を指定可能とした場合について示しているが、これに限るものではなく、ＯＬＴ１、ＯＮＵ４で事前に指定しておいてもよい。
【００５２】
次いで、ＯＬＴ１の監視制御部１７は、試験開始指示１０１を受信すると、当該試験開始指示１０１をＰＯＮ制御部１２に転送する。ＰＯＮ制御部１２内部では、試験開始指示１０１を試験フレーム送信部１２１および試験フレーム受信部１２２に転送する。さらに、ＰＯＮ制御部１２は、試験開始指示１０１をＯＮＵ４に転送する。ＯＮＵ４のＰＯＮ制御部４２内部では、試験開始指示１０１を試験フレーム受信部４２１および試験フレーム折り返し部４２２に転送する（ステップＳＴ５０２）。ここでＯＮＵ４のＰＯＮ制御部４２は、試験フレーム１０２を内部で折り返すパスを設定する。
【００５３】
次いで、ＯＬＴ１の試験フレーム送信部１２１は、試験開始指示１０１を受信すると、当該試験開始指示１０１で指定された送信レート１０１４、送信フレーム数１０１５および送信フレームサイズ１０１６に基づいて試験フレーム１０２を生成し、下り方向へ送信する（ステップＳＴ５０３、第１の試験フレーム送信ステップ）。下り方向の試験フレーム１０２は、最終的にＯＮＵ４の試験フレーム受信部４２１へ転送される。
【００５４】
次いで、ＯＮＵ４の試験フレーム受信部４２１は、試験フレーム１０２を受信すると、受信した試験フレーム数をカウントする。そして、当該受信した試験フレーム数と送信フレーム数１０１５、その他の情報（転送先ＬＬＩＤ１０１２に設定された帯域情報（最低保証帯域、最大帯域）、送信レート１０１４など）に基づき任意の計算方法により導通特性劣化有無を判断する（ステップＳＴ５０４、第２の試験フレーム受信ステップ）。例えば、送信レート１０１４が最低保証帯域より小さいにもかかわらず、受信した試験フレーム数が送信フレーム数１０１５より小さい場合には劣化発生と判断し、それ以外の場合は劣化非発生と判断する。なおここでは、当該受信した試験フレーム１０２の数と送信フレーム数１０１５、その他の情報を用いて導通特性劣化有無を判断する場合について示したが、当該受信した試験フレーム１０２の数と送信フレーム数１０１５から導通特性劣化有無を判断するようにしてもよい。
【００５５】
次いで、試験フレーム受信部４２１は、判断結果１０４および劣化警報１０５をＯＬＴ１へ返送する（ステップＳＴ５０５）。この判断結果１０４および劣化警報１０５は、最終的にＯＬＴ１の監視制御部１７へ送信される。
次いで、ＯＬＴ１の監視制御部１７は、ＯＮＵ４から返送された判断結果１０４および劣化警報１０５を監視制御端末５へ通知する（ステップＳＴ５０６）。
【００５６】
また、ＯＮＵ４の試験フレーム折り返し部４２２は、試験フレーム１０２を受信すると、そのまま折り返して試験フレーム１０２ｂとして上り方向へ送信する（ステップＳＴ５０７、試験フレーム折り返しステップ）。上り方向の試験フレーム１０２ｂは、最終的にＯＬＴ１の試験フレーム受信部１２２へ転送される。
【００５７】
次いで、ＯＬＴ１の試験フレーム受信部１２２は、試験フレーム１０２ｂを受信すると、受信した試験フレーム数をカウントする。そして、当該受信した試験フレーム数と送信フレーム数１０１５、その他の情報（転送先ＬＬＩＤ１０１２に設定された帯域情報（最低保証帯域、最大帯域）、送信レート１０１４など）に基づき任意の計算方法により導通特性劣化有無を判断する（ステップＳＴ５０８、第１の試験フレーム受信ステップ）。例えば、送信レート１０１４が最低保証帯域より小さいにもかかわらず、受信した試験フレーム数が送信フレーム数１０１５より小さい場合には劣化発生と判断し、それ以外の場合は劣化非発生と判断する。なおここでは、当該受信した試験フレーム１０２ｂの数と送信フレーム数１０１５、その他の情報を用いて導通特性劣化有無を判断する場合について示したが、当該受信した試験フレーム１０２ｂの数と送信フレーム数１０１５から導通特性劣化発生有無を判断するようにしてもよい。
【００５８】
次いで、試験フレーム受信部１２２は、判断結果１０６および劣化警報１０７を監視制御部１７へ送信し、監視制御部１７は監視制御端末５へ通知する（ステップＳＴ５０９，５１０）。
【００５９】
なお、導通特性劣化検知の対象となるＯＮＵ４は、上り方向の試験実行中はＵＮＩポートを閉塞するとともに、試験完了の際にはＵＮＩポートを閉塞解除することで、試験フレーム１０２ｂとユーザフレームとの競合を防いでもよい。また、ＯＬＴ１は、下り方向の試験実行中は、転送先ＬＬＩＤ１０１２宛の下りフレーム送信を停止するとともに、試験完了の際には送信を再開することで、試験フレーム１０２とユーザフレームとの競合を防いでもよい。
【００６０】
以上のように、この実施の形態２によれば、保守者からの試験開始指示１０１を契機として、ＯＬＴ１が送信フレーム数１０１５に従い試験フレーム１０２を発生・送信するとともに、ＯＮＵ４が試験フレーム１０２を折り返して試験フレーム１０２ｂとして送信し、受信した試験フレーム数と当該送信フレーム数１０１５から導通特性劣化を検知するように構成したので、ユーザの操作を必要とするＯＮＵ４配下のユーザ端末からのフレーム印加や、オペレータの操作を必要としサービスへの影響の可能性があるＯＬＴ１の上位装置からのフレーム印加を実施することなく、導通特性劣化を検知できるという効果がある。
【００６１】
また、ＯＬＴ１では、試験フレーム送信部１２１および試験フレーム受信部１２２をＰＯＮ制御部１２内部に具備しているため、実施の形態１に比べて回路構成が簡略化できる効果がある。さらに、ＯＮＵ４では、試験フレーム受信部４２１および試験フレーム折り返し部４２２をＰＯＮ制御部４２内部に具備しているため、実施の形態１に比べて回路構成が簡略化できる効果がある。なお、ＯＬＴ１のＰＯＮ制御部１２と、ＯＮＵ４のＰＯＮ制御部４２は、それぞれＰＯＮ  ＭＡＣチップを想定している。
【００６２】
実施の形態３．
実施の形態３によるＰＯＮシステムの構成は、図１に示した実施の形態１と同一である。実施の形態３に係るＰＯＮシステムの動作について、図６を参照しながら説明する。なお導通特性劣化検知は、上り方向のみ、下り方向のみ、両方向同時のいずれかで実施可能とするが、ここでは両方向同時の場合で説明する。
【００６３】
図２に示す実施の形態１との違いは、導通特性劣化検知の開始タイミングである。実施の形態１では、監視制御端末５より試験開始指示１０１を受信したタイミングで開始するが、本実施の形態３では、試験対象の転送先ＬＬＩＤ１０１２上の通信状態を確認し、通信がないことを確認したタイミングで開始する。すなわち、ＯＬＴ１の試験フレーム送信部１５は、試験対象の転送先ＬＬＩＤ１０１２における下り方向の通信状態を監視し、通信があれば試験を開始せず、通信がないことを確認したタイミングで試験を開始する（図６のステップＳＴ６０１）。一方、ＯＮＵ４の試験フレーム送信部４４は、試験対象の転送先ＬＬＩＤ１０１２における上り方向の通信状態を監視し、通信があれば試験を開始せず、通信がないことを確認したタイミングで試験を開始する（図６のステップＳＴ６０２）。以降の処理は実施の形態１と同一であり、その説明を省略する。
【００６４】
以上のように、この実施の形態３によれば、試験対象の転送先ＬＬＩＤ１０１２における通信状態を確認した上で、通信がないときに試験を実施するように構成したので、実施の形態１による効果に加え、上り方向の試験実行中におけるＵＮＩポートの閉塞処理や、下り方向の試験実行中における転送先ＬＬＩＤ１０１２宛の下りフレーム送信停止処理を実施することなく、試験フレーム１０２，１０３とユーザフレームとの競合を回避できる効果がある。
【００６５】
実施の形態４．
実施の形態４によるＰＯＮシステムの構成は、図４に示した実施の形態２と同一である。
実施の形態４に係るＰＯＮシステムの動作について、図７を参照しながら説明する。なお導通特性劣化検知は、上り方向の試験フレーム１０２をＯＮＵ４で折り返し上り方向に送信するため、両方向同時となる。
【００６６】
図５に示す実施の形態２との違いは、導通特性劣化検知の開始タイミングである。実施の形態２では、監視制御端末５より試験開始指示１０１を受信したタイミングで開始するが、本実施の形態４では、試験対象の転送先ＬＬＩＤ１０１２上の通信状態を確認し、通信がないことを確認したタイミングで開始する。すなわち、ＯＬＴ１の試験フレーム送信部１２１は、試験対象の転送先ＬＬＩＤ１０１２における上り方向および下り方向の通信状態を監視し、少なくともいずれか片方向で通信があれば試験を開始せず、両方向で通信がないことを確認したタイミングで試験を開始する（図７のステップＳＴ７０１）。以降の処理は実施の形態２と同一であり、その説明を省略する。
【００６７】
以上のように、この実施の形態４によれば、試験対象の転送先ＬＬＩＤ１０１２における通信状態を確認した上で、通信がないときに試験を実施するように構成したので、実施の形態２による効果に加え、上り方向の試験実行中におけるＵＮＩポートの閉塞処理や、下り方向の試験実行中における転送先ＬＬＩＤ１０１２宛の下りフレーム送信停止処理を実施することなく、試験フレーム１０２，１０２ｂとユーザフレームとの競合を回避できる効果がある。
【００６８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６９】
１  ＯＬＴ、２  光ファイバ、３  光分岐器、４  ＯＮＵ、５  監視制御端末、１１，４１  光送受信部、１２，４２  ＰＯＮ制御部、１３，４５  主信号転送部、１４  ＮＮＩ制御部、１５，１２１  試験フレーム送信部（第１の試験フレーム送信部）、１６，１２２  試験フレーム受信部（第１の試験フレーム受信部）、１７  監視制御部、４３，４２１  試験フレーム受信部（第２の試験フレーム受信部）、４４  試験フレーム送信部（第２の試験フレーム送信部）、４６  ＵＮＩ制御部、１０１  試験開始指示、
１０２，１０２ｂ，１０３  試験フレーム、１０４，１０６  判断結果、１０５，１０７  劣化警報、１１１，４１１  光受信部、１１２，４１２  光送信部、１１３，４１３  ＷＤＭ部、４２２  試験フレーム折り返し部、１０１１  試験対象ＯＮＵ、１０１２  転送先ＬＬＩＤ、１０１３  試験方向、１０１４  送信レート、１０１５  送信フレーム数、１０１６  送信フレームサイズ。
【図１】
2015139184.tif 000003
【図２】
2015139184.tif 000004
【図３】
2015139184.tif 000005
【図４】
2015139184.tif 000006
【図５】
2015139184.tif 000007
【図６】
2015139184.tif 000008
【図７】
2015139184.tif 000009